(57)【要約】【課題】この発明は、低背化および小型化等が可能であるエレベータ用空気調和機を得る。【解決手段】このエレベータ用空気調和機は、エレベータのかごの上部に設置され、圧縮機２、凝縮器７、絞り装置および蒸発器４が冷媒配管により順次接続されて冷媒回路を構成しているとともに、かご室内の空気を室内空気吸込口３から吸引し、その空気の温度を調節してかご室内に室内空気吹出口６から吹き出すエレベータ用空気調和器であって、圧縮機２は、軸線が圧縮機２の据付面に対してほぼ平行に据え付けられる横形密閉圧縮機である。【選択図】        図２
2004292121.tif 000002
【特許請求の範囲】
【請求項１】
エレベータのかごの上部に設置され、圧縮機、凝縮器、絞り装置および蒸発器が冷媒配管により順次接続されて冷媒回路を構成しているとともに、かご室内の空気を室内空気吸込口から吸引し、その空気の温度を調節してかご室内に室内空気吹出口から吹き出すエレベータ用空気調和器であって、
前記圧縮機は、軸線が圧縮機の据付面に対してほぼ平行に据え付けられる横形密閉圧縮機であるエレベータ用空気調和機。
【請求項２】
前記横形密閉圧縮機は、その両側に設けられ前記据付面に端部が接続された振動防止用バネにより支持された据付金具に固定されており、前記振動防止用バネと前記据付金具との接続部の前記据付面からの高さが前記軸線とほぼ同一である請求項１に記載のエレベータ用空気調和機。
【請求項３】
エレベータのかごの上部に設置され、圧縮機、凝縮器、絞り装置および蒸発器が冷媒配管により順次接続されて冷媒回路を構成しているとともに、かご室内の空気を室内空気吸込口から吸引し、その空気の温度を調節してかご室内に室内空気吹出口から吹き出すエレベータ用空気調和器であって、
前記凝縮器には、凝縮器に対向して凝縮器を冷却するためのシロッコファンを有する凝縮器用送風機が配置されているエレベータ用空気調和機。
【請求項４】
前記凝縮器には、凝縮器に対向して凝縮器を冷却するためのシロッコファンを有する凝縮器用送風機が配置されている請求項１または請求項２に記載のエレベータ用空気調和機。
【請求項５】
前記凝縮器用送風機は、前記凝縮器の中央部に対向して配置されており、前記シロッコファンの両側の一対の吸入口からは、それぞれ前記凝縮器を通過したほぼ同量の空気が吸引されるようになっている請求項３または請求項４に記載のエレベータ用空気調和機。
【請求項６】
前記蒸発器は前記室内空気吸込口から離間して配置されている請求項１ないし請求項５の何れかに記載のエレベータ用空気調和機。
【請求項７】
前記室内空気吹出口は、昇降路の側壁面側に指向している請求項１ないし請求項６の何れかに記載のエレベータ用空気調和機。
【請求項８】
前記冷媒配管内の冷媒は、代替フロンである、Ｒ４０７Ｃ、Ｒ４１０ＡおよびＲ１３４ａの何れかである請求項１ないし請求項７の何れかに記載のエレベータ用空気調和機。
【発明の詳細な説明】
【０００１】
【発明の属する技術分野】
この発明は、エレベータのかごの上部に設置され、圧縮機、凝縮器、絞り装置および蒸発器が冷媒配管により順次接続されて冷媒回路を構成しているとともに、かご室内の空気を室内空気吸込口から吸引し、その空気の温度を調節してかご室内に室内空気吹出口から吹き出すエレベータ用空気調和器に関するものである。
【０００２】
【従来の技術】
図４は特開平８−２７１０１９号公報に示された従来のエレベータ用空気調和機２１の平面配置図であり、図５はこのエレベータ用空気調和機２１が取り付けられたエレベータの概略構成図である。
このエレベータ用空気調和機２１は、縦形圧縮機２２と、蒸発器２４と、シロッコファン２５ａを有する蒸発器用送風機２５と、凝縮器２７と、プロペラ羽根２８ａを有する凝縮器用送風機２８と、蒸発器用送風機２５および凝縮器用送風機２８に接続され送風機２５，２８を駆動する送風機用電動機と、制御箱３０とを備え、内部はかご室内空気側とかご室外空気側とに仕切板３１で仕切られている。
また、このエレベータ用空気調和機２１は、側面にエレベータかご内の空気を吸い込む室内空気吸込口２３が形成され、また上面にエレベータかご内へ空気を吹出す室内空気吹出口２６が形成されている。
【０００３】
この空気調和機２１は、エレベータかご３２の上部に設置されているとともに、室内空気吸込口２３に一端部が接続された吸込ダクト３３、室内空気吹出口２６に一端部が接続された吹出ダクト３４により、かご室内と連通している。なお、図５において、符号３５は昇降路、３６は最上階の床面、３７は最下階の床面である。
【０００４】
次に、上記構成のエレベータかご用空気調和機２１の動作について説明する。エレベータかご３２内の空気は、蒸発器用送風機２５により吸込ダクト３３を介し室内空気吸込口２３を通して内部に吸込まれ、蒸発器２４で冷却される。そして、その空気は、蒸発器用送風機２５、室内空気吹出口２６および吹出ダクト３４を介して、エレベータかご３２内へと戻される。
一方、エレベータかご外側の空間である昇降路３５内の空気は、凝縮器用送風機２８のプロペラ羽根２８ａの回転により内部に吸込まれ、凝縮器２７により加熱された後、エレベータかご用空気調和機２１の側面Ａおよび上面の排気窓から昇降路３５内へ排出される。
【０００５】
このエレベータかご用空気調和機２１では、圧縮機２２が縦形圧縮機であること、凝縮器用送風機２８がプロペラ羽根２８ａであることから、圧縮機２２の高さ寸法および凝縮器用送風機２８のプロペラ羽根２８ａの直径寸法、そして凝縮器用送風機２８の軸心に合わせて設置された凝縮器２７の高さ寸法により、エレベータかご用空気調和機２１の最小高さ寸法が制限される。
【０００６】
また、吹出ダクト３４を接続してエレベータかご３２内へ空気を吹出すかご室内空気吹出口２６がエレベータかご用空気調和機２１の上面に配置されているため、エレベータかご３２の上部にこのエレベータかご用空気調和機２１を設置する際、吹出ダクト３４の取付け寸法も考慮しなければならない。
【０００７】
【発明が解決しようとする課題】
最近のエレベータ業界の動向として、従来は昇降路の上に設けられた機械室に収納されていたエレベータ駆動装置や制御盤等を昇降路内の空間に設置することにより、機械室を不要とする方式が主流となりつつある。このような方式により機械室が無いエレベータにおいては、エレベータかご上部と昇降路内天井との間の距離及び空間が従来の方式よりも小さくなるため、エレベータかご上部空間に設置するエレベータ用空気調和機の低背化及び小型化が必要である。
しかしながら、上記構成のエレベータ用空気調和機２１では、最小高さ寸法が径の大きなプロペラ羽根２８ａ等で制限されることから、低背化及び小型化に対して大きな弊害であるという問題点があった。
【０００８】
この発明は、上記のような問題点を解決することを課題とするものであって、低背化、小型化等を可能にするエレベータ用空気調和機を得ることを目的とする。
【０００９】
【課題を解決するための手段】
この発明に係るエレベータ用空気調和機は、エレベータのかごの上部に設置され、圧縮機、凝縮器、絞り装置および蒸発器が冷媒配管により順次接続されて冷媒回路を構成しているとともに、かご室内の空気を室内空気吸込口から吸引し、その空気の温度を調節してかご室内に室内空気吹出口から吹き出すエレベータ用空気調和器であって、前記圧縮機は、軸線が圧縮機の据付面に対してほぼ平行に据え付けられる横形密閉圧縮機である。
【００１０】
また、この発明に係るエレベータ用空気調和機は、エレベータのかごの上部に設置され、圧縮機、凝縮器、絞り装置および蒸発器が冷媒配管により順次接続されて冷媒回路を構成しているとともに、かご室内の空気を室内空気吸込口から吸引し、その空気の温度を調節してかご室内に室内空気吹出口から吹き出すエレベータ用空気調和器であって、前記凝縮器には、凝縮器に対向して凝縮器を冷却するためのシロッコファンを有する凝縮器用送風機が配置されている。
【００１１】
【発明の実施の形態】
実施の形態１．
以下、この発明の実施の形態について説明するが、従来のものと同一、または相当部材、部位については、同一符号を付して説明する。
図１はこの発明の実施の形態１のエレベータ用空気調和機の全体斜視図、図２はその平面配置図である。
このエレベータ用空気調和機１は、横型密閉形圧縮機２と、蒸発器４と、シロッコファン５ａを有する蒸発器用送風機５と、凝縮器７と、シロッコファン８ａを有する凝縮器用送風機８と、蒸発器用送風機５および凝縮器用送風機８に接続され送風機５，８を駆動する送風機用電動機９と、制御箱１０とを備え、内部はかご室内空気側とかご室外空気側とに仕切板１１で仕切られている。
このエレベータ用空気調和機１は、図示されていない冷媒配管により、圧縮機２、凝縮器７、絞り装置および蒸発器４が順次接続されて冷媒回路を構成している。冷媒配管内は、フロン規制に対応するため、代替フロンであるＲ４０７Ｃの冷媒が流通している。
また、エレベータ用空気調和機１は、側面にエレベータかご内の空気を吸い込む室内空気吸込口３が形成され、また昇降路３５の側壁面に指向しエレベータかご内へ空気を吹出す室内空気吹出口６が形成されている。
【００１２】
このエレベータ用空気調和機１は、エレベータかご３２の上部に設置されているとともに、室内空気吸込口３に一端部が接続された吸込ダクト３３、室内空気吹出口６に一端部が接続された吹出ダクト３４により、かご室内と連通している。
【００１３】
次に、上記構成のエレベータ用空気調和機１の動作について説明する。
エレベータかご３２内の空気は、蒸発器用送風機５により吸込ダクト３３を介して室内空気吸込口３を通して空気調和機１の内部に吸込まれ、蒸発器４で冷却される。そして、蒸発器用送風機５、室内空気吹出口６および吹出ダクト３４を介してエレベータかご３２の室内へと戻される。
一方、エレベータかご３２外部の空間である昇降路３５内の空気は、凝縮器用送風機８により空気調和機１に吸込まれ、凝縮器７により加熱され、凝縮器用送風機８を介して昇降路３５内へ排出される。このとき、エレベータ用空気調和機１の内部を通過する空気は、圧縮機２、送風機用電動機９、制御箱１０といった内部の器材の冷却も行う。
【００１４】
このエレベータ用空気調和機１によれば、圧縮機２は横形密閉圧縮機であるので、高さが低く抑えられる。
なお、図６および図７に示す横形密閉圧縮機２を用い、図８に示すように、振動防止用バネ１４および据付金具１２を介して圧縮機２の軸線が圧縮機据付面１３に対してほぼ平行になるように据付ける場合がある。この図において、ｈは振動防止用バネ１４の高さ、Ｗは圧縮機２の中心部から据付金具１２と振動防止用バネ１４との接続部までの水平距離を、Ｌは中心部と接続部との間の最短直線距離を示す。また、Ｈは圧縮機据付面３４から圧縮機３２の最上部位までの最大高さである。
【００１５】
このとき、エレベータかご用空気調和機の高さ寸法に影響するのは最大高さＨであるが、最大高さＨを制限すると接続部の高さｈも制限され、圧縮機の振動が問題となった場合に振動防止用バネ１４の選定可能範囲が狭くなり、振動問題への対処が困難になるという問題点がある。
また、圧縮機２がロータリー圧縮機である場合、据付金具１２および振動防止用バネ１４の接続部と圧縮機中心との間の最短直線距離Ｌが大きいほど据付金具１２および振動防止用バネ１４の接続部に加わるモーメントが大きくなるので、圧縮機の振動が問題となり易い。
【００１６】
これに対して、この実施の形態では、図３に示すように振動防止用バネ１４の高さｈは横形圧縮機２の中心部とほぼ同じ高さであり、そのため最大高さＨが制限されても、図８に示したものよりも高さｈが高いので、振動防止用バネ１４の選定範囲を広く取ることができ、圧縮機の振動が問題となった場合の対処が容易となる。
また、この時、据付金具１２および振動防止用バネ１４の接続部と、圧縮機２の中心との間の最短直線距離Ｌは水平距離Ｗにほぼ等しいので、Ｌは水平距離Ｗに対してほぼ最小となる。従って、据付金具１２および振動防止用バネ１４の接続部に加わるモーメントも最小となるので、圧縮機２がロータリー圧縮機であっても振動問題が発生しにくい。
【００１７】
また、冷媒配管内は、フロン規制に対応するため、代替フロンであるＲ４０７Ｃの冷媒が流通しているので、オゾン層に影響を及ぼさない。なお、冷媒に用いる代替フロンは、Ｒ４０７Ｃに限らず、Ｒ４１０ＡもしくはＲ１３４ａでも同様の効果が得られる。
【００１８】
また、凝縮器用送風機８では、シロッコファン８ａが用いられているので、エレベータ用空気調和機１の低背化及び小型化が図られている。
また、室内空気吹出口６は、昇降路３５の側壁面側に指向しているので、エレベータかご３２の上部にエレベータ用空気調和機１を設置する際に、吹出ダクト３４の取付け寸法を空気調和機１の上方において考慮する必要性が無い。
【００１９】
さらに、凝縮器用送風機８は、凝縮器７の中央部に対向して配置されており、シロッコファン８ａの両側の一対の吸入口からは、それぞれ凝縮器７を通過したほぼ同量の空気が吸引されるようになっているので、シロッコファン８ａを有する凝縮器用送風機８は小風量であっても、凝縮器７は効率よく冷却される。
また、蒸発器４は室内空気吸込口３から離間して配置されているので、室内空気吸込口３からの空気は、均等に蒸発器４に向かって流れ、蒸発器４での熱交換効率が良い。
【００２０】
【発明の効果】
以上説明したように、この発明に係るエレベータ用空気調和機によれば、エレベータのかごの上部に設置され、圧縮機、凝縮器、絞り装置および蒸発器が冷媒配管により順次接続されて冷媒回路を構成しているとともに、かご室内の空気を室内空気吸込口から吸引し、その空気の温度を調節してかご室内に室内空気吹出口から吹き出すエレベータ用空気調和器であって、前記圧縮機は、軸線が圧縮機の据付面に対してほぼ平行に据え付けられる横形密閉圧縮機であるので、低背化および小型化が可能である。
【００２１】
また、この発明に係るエレベータ用空気調和機によれば、エレベータのかごの上部に設置され、圧縮機、凝縮器、絞り装置および蒸発器が冷媒配管により順次接続されて冷媒回路を構成しているとともに、かご室内の空気を室内空気吸込口から吸引し、その空気の温度を調節してかご室内に室内空気吹出口から吹き出すエレベータ用空気調和器であって、前記凝縮器には、凝縮器に対向して凝縮器を冷却するためのシロッコファンを有する凝縮器用送風機が配置されているので、低背化および小型化が可能である。
【図面の簡単な説明】
【図１】この発明の実施の形態１のエレベータ用空気調和機の全体斜視図である。
【図２】図１のエレベータ用空気調和機の平面配置図である。
【図３】図１の圧縮機の据付状態を示す正面図である。
【図４】従来のエレベータ用空気調和機の平面配置図である。
【図５】図４のエレベータ用空気調和機を付設したエレベータの概略構成図である。
【図６】横形圧縮機の一例を示す平面図である。
【図７】図６の横形圧縮機の正面図である。
【図８】図６の横形圧縮機の据付状態を示す図である。
【符号の説明】
１  エレベータ用空気調和機、２  圧縮機、３  室内空気吸込口、４  蒸発器、６  室内空気吹出口、７  凝縮器、８  凝縮器用送風機、８ａ  シロッコファン、１２  据付金具、１３  圧縮機据付面、１４  振動防止用バネ。
【図１】
2004292121.tif 000003
【図２】
2004292121.tif 000004
【図３】
2004292121.tif 000005
【図４】
2004292121.tif 000006
【図５】
2004292121.tif 000007
【図６】
2004292121.tif 000008
【図７】
2004292121.tif 000009
【図８】
2004292121.tif 000010